(57)【要約】      （修正有）【課題】液体を採取してから、測定機器の吸引管によって液体を吸引するまでの間に液体が自重で落下する危険性を低下させることができる微量液採取器具のアダプタ及び微量液採取器具を提供する。【解決手段】第１の穴２１と第１の空間２２を有する第１の通路７０と、第２の穴２３と第２の空間２５を有し、前記第１の通路７０に連通する第２の通路８０と、を有し、前記第１の通路７０の中央を長手方向に伸びる第１の線Ｌ１と前記第２の通路８０の中央を長手方向に伸びる第２の線Ｌ２とのなす角度が、９０度〜９０度±１０度とされている、微量液採取器具のアダプタ１００。【選択図】図５
2019100734.tif 000002
【特許請求の範囲】
【請求項１】
第１の穴と第１の空間を有する第１の通路と、
第２の穴と第２の空間を有し、前記第１の通路に連通する第２の通路と、
を有し、
前記第１の通路の中央を長手方向に伸びる第１の線と前記第２の通路の中央を長手方向に伸びる第２の線とのなす角度が、９０度〜９０度±１０度とされている微量液採取器具のアダプタ。
【請求項２】
前記第１の穴の周壁と前記第１の空間の周壁との境界には段差が形成され、
前記第１の空間の径が前記第１の穴の径より小径とされている請求項１に記載の微量液採取器具のアダプタ。
【請求項３】
前記第２の穴は、その入口から内部へ向かってテーパ状に形成され、前記第２の空間の径が前記第２の穴の最小径より小径とされている請求項１または２に記載の微量液採取器具のアダプタ。
【請求項４】
前記第２の空間と前記第２の通路が形状を有する基部と、
前記第１の穴が形成され、前記基部の第１の面にから外方へ突出した突出筒体と
を具備する請求項１乃至３のいずれか１項に記載の微量液採取器具のアダプタ。
【請求項５】
第１の穴と第１の空間を有する第１の通路と、第２の穴と第２の空間を有し、前記第１の通路に連通する第２の通路と、を有し、前記第１の通路の中央を長手方向に伸びる第１の線と前記第２の通路の中央を長手方向に伸びる第２の線とのなす角度が、９０度〜９０度±１０度とされている微量液採取器具のアダプタと、
前記第１の穴に挿入されたキャピラリーと
を具備する微量液採取器具。
【発明の詳細な説明】
【技術分野】
【０００１】
本発明は、血液などの液体を採取する場合に用いられる微量液採取器具と、この微量液採取器具のアダプタに関する。
【背景技術】
【０００２】
特許文献１は、微量液採取器具を開示している。この微量液採取器具は、キャピラリーを挿入し一時固定するための結合孔と、キャピラリーにより収集した血液等の液体を上記キャピラリー側から吸引するための吸引側穴部とが、本体に形成されたものである。
【０００３】
この微量液採取器具においては、キャピラリーの毛細管現象により液体を吸引する。従って、微量な血液を直接装置吸引部に運ぶことが可能である。
【先行技術文献】
【特許文献】
【０００４】
【特許文献１】特許第４８０７５８７号明細書
【発明の概要】
【発明が解決しようとする課題】
【０００５】
しかしながら、ある一定量以上の液体を吸引すると、液体の自重が液体の表面張力に勝りキャピラリーから液体が自重で落下するおそれがあった。
【０００６】
本発明はこのような微量液採取器具における現状に鑑みなされたもので、その目的は、液体を採取してから、測定機器の吸引管によって液体を吸引するまでの間に液体が自重で落下する危険性を低下させることができる微量液採取器具のアダプタ及び微量液採取器具を提供することである。
【課題を解決するための手段】
【０００７】
本発明の実施形態に係る微量液採取器具のアダプタは、第１の穴と第１の空間を有する第１の通路と、第２の穴と第２の空間を有し、前記第１の通路に連通する第２の通路と、を有し、前記第１の通路の中央を長手方向に伸びる第１の線と前記第２の通路の中央を長手方向に伸びる第２の線とのなす角度が、９０度〜９０度±１０度とされている。
【０００８】
本発明の実施形態に係る微量液採取器具は、第１の穴と第１の空間を有する第１の通路と、第２の穴と第２の空間を有し、前記第１の通路に連通する第２の通路と、を有し、前記第１の通路の中央を長手方向に伸びる第１の線と前記第２の通路の中央を長手方向に伸びる第２の線とのなす角度が、９０度〜９０度±１０度とされている微量液採取器具のアダプタと、前記第１の穴に挿入されたキャピラリーとを具備する。
【発明の効果】
【０００９】
本発明によれば、第１の通路の中央を長手方向に伸びる第１の線と第２の通路の中央を長手方向に伸びる第２の線とのなす角度が、９０度〜９０度±１０度とされているので、液体を採取してから第２の穴の開口部を上に向けておけば、採取した液体が自重で落下する危険性を低下させることができる。このため、より多くの液体を微量液採取器具に保持することができ、分析のための液量が少ないことを原因とする測定精度の低下を防止できる。
【図面の簡単な説明】
【００１０】
【図１】本発明に係る微量液採取器具のアダプタの実施形態を示す斜視図。
【図２】図１のＡ−Ａ断面図。
【図３】本発明に係る微量液採取器具の実施形態を示す斜視図。
【図４】図３の微量液採取器具を、図１と同じ断面により切断した断面図。
【図５】図１のＡ−Ａ断面図に、第１の穴と第２の穴の角度を説明する補助線を加えた図。
【図６】図４に示した微量液採取器具の断面図において、第２の穴に吸引管が挿入された状態を示す断面図。
【図７】本発明の実施形態に係る微量液採取器具を組み立てる場合に用いる組立治具を示す斜視図。
【図８】本発明の実施形態に係る微量液採取器具を組み立てる過程の第１段階目を示す斜視図。
【図９】本発明の実施形態に係る微量液採取器具を組み立てる過程の第２段階目を示す斜視図。
【図１０】本発明の実施形態に係る微量液採取器具を組み立てる過程の第３段階目を示す斜視図。
【図１１】本発明の実施形態に係る微量液採取器具を組み立てる過程の第４段階目を示す斜視図。
【発明を実施するための形態】
【００１１】
以下添付図面を参照して、本発明に係る微量液採取器具のアダプタ及び微量液採取器具の実施形態を説明する。各図において同一の構成要素には、同一の符号を付し、重複する説明を省略する。本発明に係る微量液採取器具のアダプタは、斜視図が図１に、図１のＡ−Ａ断面図が図２に示されるように構成されている。微量液採取器具は、ガラスやプラスチックなどの樹脂により作成されている。
【００１２】
微量液採取器具のアダプタ１００は、本体ブロック３０を有している。本体ブロック３０は、キャピラリーが取り付けられ、このキャピラリーにより採取された液体を吸引する吸引管へ提供するポートが設けられたブロックである。本実施形態では、本体ブロック３０は、直方体の形状を有する基部１０と、この基部１０の第１の面３１から外方へ突出した突出筒体２０とを備えている。更に、突出筒体２０を正面（突出筒体２０の円形端部の面）から見た場合に、基部１０の例えば右側側壁には、ツマミ部１１が突出して設けられている。ツマミ部１１は、平板状であり、作業者が親指と人差し指で挟むことができる程度の大きさを有する。
【００１３】
突出筒体２０は、本体ブロック３０の第１の面３１において、基部１０の中央部より底部側に寄った位置に設けられている。この突出筒体２０には、その円形の正面中央から基部１０へ向かって所定径を有する第１の穴２１を有している。この第１の穴２１は、上記突出筒体２０内において、上記第１の面３１に直交する方向に形成されている。この第１の穴２１は、図３、図４に示すようにキャピラリー４０の一端が挿入され、一時固定される穴である。キャピラリー４０としては、その外形寸法が例えば、０．８〜２．０ｍｍであり、容量が例えば、１０〜３０μＬのものを用いることができる。
【００１４】
上記第１の穴２１の終端部には、第１の空間２２が連続して形成されている。第１の穴２１と第１の空間２２は、第１の通路７０を構成する。本体ブロック３０の第２の面３２から内部へ向かって第２の穴２３が形成されている。第２の穴２３は、その入口から内部へ向かってテーパ状に形成されている。第２の穴２３の奥には、第２の空間２５が形成されている。第２の穴２３と第２の空間２５は、第２の通路８０を構成する。
【００１５】
前記第１の通路７０は第２の通路８０に連通している。図５に示されるように、上記第１の穴２１と第１の空間２２により構成される第１の通路７０の中央を長手方向に延びる線Ｌ１（第１の線）と、上記第２の穴２３と第２の空間２５により構成される第２の通路８０の中央を長手方向に延びる線Ｌ２（第２の線）のなす角度は、９０度となっている。この角度は、９０度〜９０度±１０度であることを許容する。また、本実施形態では、線Ｌ１と線Ｌ２を含む平面は、第１の面３１及び第２の面３２に直交する面となっており、本体ブロック３０の底面から垂直に立っている。しかし、線Ｌ１と線Ｌ２を含む平面が本体ブロック３０の底面からに対し９０度の状態から、左右（ツマミ部１１側或いはツマミ部１１側の逆側）に１０度の範囲において傾斜して立った状態であっても良い。
【００１６】
上記第２の穴２３は、上記キャピラリー４０により採取された液体を吸引する吸引管が挿入されるポートとして機能する。第１の面３１と第２の面３２は、基部１０において隣接する面であり、互い直交する面である。図５に示すように、第１の面３１に直交して隣接する第２の面３２からは、上記第２の穴２３が上記第２の面３２に直交する方向に向かって上記本体ブロック３０内において形成されている。第２の空間２５は本体ブロック３０内において第２の穴２３に連通して形成されている。また、第２の穴２３に連通する第２の空間２５の径が、図６に示されるように、上記第２の穴２３の最小径より小径とされている。第２の空間２５の径は、測定機器における吸引管５０の先端径より細径であり、吸引管５０の挿入が上記第２の空間２５において抑制される。
【００１７】
図２や図４に示すように、第１の穴２１の周壁と第１の空間２２の周壁との境界には段差２４が形成され、第１の空間２２の径が第１の穴２１の径より小径とされている。上記第１の穴２１の径は、この第１の穴２１の入口から、上記第１の空間２２の直前にかけて、上記キャピラリー４０の外径と略同一に形成されている。上記段差２４は、キャピラリー４０を第１の穴２１に挿入するときのストッパとして機能する。
【００１８】
アダプタ１００を用いて図３に示す微量液採取器具２００を組み立てる場合には、図７や図８に示す組立治具６０を用いることができる。組立治具６０は、ベース板６１上に、キャピラリー４０を位置決めして配置するための溝部６２を有している。また、組立治具６０には、溝部６２に配置されたキャピラリー４０に対しアダプタ１００を、組み立てに最適な位置に配置するための配置台６３が設けられている。
【００１９】
上記ベース板６１において、溝部６２の一端側であって配置台６３と反対方向の位置には、キャピラリー４０の長手方向の移動を停止させるためのストッパ板６４が立設形成されている。溝部６２の長手方向の他端側であって配置台６３に臨む位置には、溝部６２内にセットされたキャピラリー４０に対し突出筒体２０を位置決めするために挟み込む一対の挟持部６５、６５が設けられている。
【００２０】
配置台６３の一方の側部には、摺動板６６が立設されている。この摺動いた６６は、配置台６３にアダプタ１００を配設して、溝部６２内にセットされたキャピラリー４０方向へ押してアダプタ１００を摺動させるときのガイドとなる。更に、一対の挟持部６５、６５から溝部６２側へ所定寸法離れた位置には、ストッパ６７、６７が設けられている。ストッパ６７、６７は、上記摺動板６６を用いた摺動によりアダプタ１００における突出筒体２０の第１の穴２１にキャピラリー４０を挿入するときに適当な位置でキャピラリー４０停止させる機能を有する。
【００２１】
以上のような構成を有する組立治具６０を用いて、微量液採取器具２００を組み立てる手順を、以下に説明する。組立治具６０の溝部６２内にキャピラリー４０を入れて、このキャピラリー４０をストッパ板６４側に押し付けてストッパ板６４に当接させる（図８、図９）。
【００２２】
次に、アダプタ１００を、突出筒体２０側から配置台６３へ近づけ、配置台６３の上にセットする（図１０）。次に、摺動板６６に基部１０の所定一面を摺動させて、アダプタ１００をキャピラリー４０方向へ押し付ける。アダプタ１００の移動がストッパ６７、６７により停止するまで上記押し付けを続け、停止によりアダプタ１００の突出筒体２０における第１の穴２１にキャピラリー４０が挿入され一時固定された微量液採取器具２００が完成する（図１１）。
【００２３】
完成した微量液採取器具２００では、キャピラリー４０の一端が段差２４に当接することより、それ以上の挿入がなされず、第１の空間２２に入り込むことがない。このため、測定機器の吸引管５０が第２の穴２３側から挿入された場合に、吸引管５０の先端部が向かう第１の空間２２にキャピラリー４０が存在せず、吸引管５０の先端部によってキャピラリー４０が破損したり突出筒体２０からキャピラリー４０が押し出されたりすることなく、吸引管５０によって血液などの検査対象液体を適切に吸引することができる。
【００２４】
前述の通り、第２の空間２５の径は、測定機器における吸引管５０の先端径より細径であり、吸引管５０の挿入が上記第２の空間２５において抑制される。このため、吸引管５０の先端部が第２の空間２５を越えて底部に接触することなく、吸引管５０の先端部が破損したり吸引管５０の先端部が第１の空間２２のから第２の空間２５へ至る通路を塞ぐ状態となったりすることなく、吸引管５０によって血液などの検査対象液体を適切に吸引することができる。
【００２５】
完成した微量液採取器具２００を使用する場合には、ツマミ部１１を作業者が親指と人差し指で挟んで持ち、キャピラリー４０の先端４１を血液などの検査対象液体に投入する。このとき、キャピラリー４０を水平に近い状態とすると好適である。すると、毛細管現象により検査対象液体がキャピラリー４０内に入り込み、採取することができる。
【００２６】
更に、検査対象液体がキャピラリー４０内に入り込んだ状態において、ツマミ部１１を親指と人差し指で挟んで持って、キャピラリー４０を水平に近い状態に保ち、第２の穴の開口部を上に向けたままで、測定機器における吸引管５０の先端部の直下へアダプタ１００を移動させることができる。このため、液体がキャピラリー４０内から自重で落下する危険性を低下させることができる。係る作用によって、より多くの液体を微量液採取器具２００に保持することができ、分析のための液量が少ないことを原因とする測定精度の低下を防止できる。また、採取時の液量を概ねそのまま確保できるため測定項目の増加が期待される。
【００２７】
上記実施形態においては、本体ブロック３０を、基部１０と、この基部１０の第１の面３１から外方へ突出した突出筒体２０とを備えるものとした。しかしながら、本体ブロック３０は、キャピラリーが取り付けられ、このキャピラリーにより採取された液体を吸引する吸引管へ提供するポートが設けられた一塊のブロックであれば良く、突出筒体２０のように突出した部位を備えなくとも良い。また、基部１０には、その例えば右側側壁に突出してツマミ部１１が別途設けられているが、基部１０自体がツマミ部１１の機能を有する大きさや形状であるならば、ツマミ部１１を別途設けなくとも良い。
【００２８】
本発明に係る微量液採取器具のアダプタは、前記第１の穴の周壁と前記第１の空間の周壁との境界には段差が形成され、前記第１の空間の径が前記第１の穴の径より小径とされても良い。
【００２９】
本発明に係る微量液採取器具のアダプタは、前記第２の穴は、その入口から内部へ向かってテーパ状に形成され、前記第２の空間の径が前記第２の穴の最小径より小径とされても良い。
【００３０】
本発明に係る微量液採取器具のアダプタは、前記第２の空間と前記第２の通路８０が形状を有する基部と、前記第１の穴が形成され、前記基部の第１の面にから外方へ突出した突出筒体とを具備しても良い。
【符号の説明】
【００３１】
１０  基部                                  １１  ツマミ部
２０  突出筒体                              ２１  第１の穴
２２  第１の空間                            ２３  第２の穴
２４  段差                                  ２５  第２の空間
３０  本体ブロック                          ３１  第１の面
３２  第２の面                              ４０  キャピラリー
４１  先端                                  ５０  吸引管
６０  組立治具                              ６１  ベース板
６２  溝部                                  ６３  配置台
６４  ストッパ板                            ６５  挟持部
６６  摺動板                                ６７  ストッパ
７０  第１の通路                            ８０  第２の通路
１００  アダプタ                            ２００  微量液採取器具
【図１】
2019100734.tif 000003
【図２】
2019100734.tif 000004
【図３】
2019100734.tif 000005
【図４】
2019100734.tif 000006
【図５】
2019100734.tif 000007
【図６】
2019100734.tif 000008
【図７】
2019100734.tif 000009
【図８】
2019100734.tif 000010
【図９】
2019100734.tif 000011
【図１０】
2019100734.tif 000012
【図１１】
2019100734.tif 000013